(57)【要約】【課題】  回転ドラム内の被処理物に効率良く均一に空気を供給することができる回転式発酵機を提供する。【解決手段】  回転中心軸線回りに回転対称な相似形の多角形断面を有している、隣接する２つの回転ドラム３の前側のものの後端部が後側のものの前端部の内側へ嵌挿され、前記後端部の多角形横断面の各辺を形成している複数の平坦な外壁面と、これらの外壁面にそれぞれ対向する前記前端部の多角形断面の各辺を形成している複数の平坦な内壁面との間の隙間Ｓで、回転ドラムの外部と内部との間を連通する複数の扁平な通気路が形成され、これらの通気路には、基端側が前側の回転ドラム後端部付近に軸着されて、先端側が後側の回転ドラム前端部の内壁面に当接して通気路を閉鎖する位置と、前記内壁面から離間して通気路を開放する位置との間で揺動自在に開閉フラップ２４が取り付けられ、通気路を通して回転ドラム内に空気を導入するように構成されている。【選択図】  図１
2005254197.tif 000002
【特許請求の範囲】
【請求項１】
略水平な中心軸線回りに回転駆動される回転ドラムを有し、その回転によって回転ドラム内部に導入された生ごみ等の被処理物を攪拌しつつ前記中心軸線方向前方から後方へ向けて徐々に移動させるとともに、回転ドラム内に空気を導入して前記被処理物を発酵処理する回転式発酵機において、
回転ドラムはその回転中心軸線方向に複数直列に配列され、これらは回転駆動源によって互いに同期して一体に回転するように駆動され、
隣接する前後２つの回転ドラムの前側のものの少なくとも後端部と、後側のものの少なくとも前端部は、これらの回転ドラムの回転中心軸線回りに回転対称な相似形の多角形横断面を有して前記後端部が前端部の内側に嵌挿され、
前記後端部の多角形横断面の各辺を形成している複数の平坦な外壁面と、これらの外壁面のそれぞれに対向するように前記前端部の多角形断面の各辺を形成している複数の平坦な内壁面との間で、回転ドラムの外部と内部との間を連通する複数の扁平な通気路が形成され、
前記それぞれの通気路には、基端側が前側の回転ドラム後端部付近に軸着されて、先端側が後側の回転ドラム前端部の内壁面に当接して通気路を閉鎖する位置と、前記内壁面から離間して通気路を開放する位置との間で揺動自在に開閉フラップが取り付けられ、
これらの開閉フラップは、回転ドラムの回転にともなって下方に移動してきたときには通気路を塞いで回転ドラム内部の被処理物の通気路からの流出を防ぐように揺動し、上方に移動してきたときには通気路を開くように揺動して、通気路を通して回転ドラム内に空気を導入するように構成されていることを特徴とする回転式発酵機。
【請求項２】
回転ドラムの回転中心軸線と同心状に回転ドラムの外側を包囲する環状ダクトを有し、前記環状ダクトの壁面には、回転ドラムの外側から通気路内へ向けて空気を送り込むための多数のノズル孔が、少なくとも開閉フラップが開かれる範囲において、環状ダクトの円周方向に並んで配列されていることを特徴とする請求項１記載の回転式発酵機。
【請求項３】
後側の回転ドラムの前端縁には前方に向けて円錐状に拡開する外側送風ガイドが設けられ、前側の回転ドラムの後端部近傍の外周面には、前記外側送風ガイドの内側に略同心状に位置するように、前方に向けて円錐状に拡開する内側送風ガイドが設けられ、環状ダクトのノズル孔から噴出する空気が外側送風ガイドと内側送風ガイドの間の隙間に案内されて回転ドラム内に導入されることを特徴とする請求項２記載の回転式発酵機。
【発明の詳細な説明】
【技術分野】
【０００１】
本発明は、生ごみ等の被処理物を回転ドラム内に投入し、その回転により攪拌しながら発酵処理を行う回転式発酵機に関する。
【背景技術】
【０００２】
従来、一般家庭や飲食店、食品工場等から排出される魚介類や野菜くず等の生ごみ、あるいは、養鶏場から排出される鶏糞等の廃棄物を分解処理するために、これらの廃棄物をバクテリア等の微生物を含む分解処理剤とともに回転ドラム内に投入して回転ドラムを回転させて攪拌しながら、発酵・分解させるごみ処理装置が開発されている。（特許文献１参照）
【特許文献１】特開２００１−２５９５８６号公報
【０００３】
前述した特許文献１に記載されているような従来技術においては、回転ドラムの入口側からその内部に投入された被処理物と分解処理剤を、回転ドラムの回転によって攪拌しながら、徐々に出口側へと移動させ、その間に分解処理剤に含まれるバクテリア等の微生物によって被処理物が分解されるが、その際、回転ドラム内に常温あるいは加熱した空気を送り込んで、微生物による被処理物の発酵・分解が促進されるようにしている。
【発明の開示】
【発明が解決しようとする課題】
【０００４】
生ごみ等の被処理物が微生物の作用によって発酵して分解されるまでには、ある程度の時間が必要であり、前述したような回転ドラム内で被処理物を発酵・分解処理する装置で多量の被処理物を連続的に処理するためには、回転ドラムの入口側から投入された被処理物が回転ドラムの回転によって出口側へ移動するまでの時間を確保するために、回転ドラムの全長を長くする必要があった。
【０００５】
しかしながら、回転ドラム長を長くすると、回転ドラムの一方の端から導入された空気が回転ドラム内を通過する際に流動抵抗が大きく、排気口まで到達させることが困難となり、回転ドラム内に空気が滞留して被処理物が新鮮な空気と十分に接触することができず、発酵・分解処理が不完全になったり、不均一になる問題があった。
【０００６】
そこで、本発明は、前述したような従来技術の問題を解決し、回転ドラム内の被処理物に効率良く均一に空気を供給することができる回転式発酵機を提供することを目的とする。
【課題を解決するための手段】
【０００７】
前記目的を達成するために提供される、本発明の回転式発酵機は、略水平な中心軸線回りに回転駆動される回転ドラムを有し、その回転によって回転ドラム内部に導入された生ごみ等の被処理物を攪拌しつつ前記中心軸線方向前方から後方へ向けて徐々に移動させるとともに、回転ドラム内に空気を導入して前記被処理物を発酵処理するものである。
【０００８】
本発明の回転式発酵機においては、回転ドラムはその回転中心軸線方向に複数直列に配列され、これらは回転駆動源によって互いに同期して一体に回転するように駆動され、隣接する前後２つの回転ドラムの前側のものの少なくとも後端部と、後側のものの少なくとも前端部は、これらの回転ドラムの回転中心軸線回りに回転対称な相似形の多角形横断面を有して前記後端部が前端部の内側に嵌挿され、前記後端部の多角形横断面の各辺を形成している複数の平坦な外壁面と、これらの外壁面のそれぞれに対向するように前記前端部の多角形断面の各辺を形成している複数の平坦な内壁面との間で、回転ドラムの外部と内部との間を連通する複数の扁平な通気路が形成され、前記それぞれの通気路には、基端側が前側の回転ドラム後端部付近に軸着されて、先端側が後側の回転ドラム前端部の内壁面に当接して通気路を閉鎖する位置と、前記外壁面から離間して通気路を開放する位置との間で揺動自在に開閉フラップが取り付けられ、これらの開閉フラップは、回転ドラムの回転にともなって下方に移動してきたときには通気路を塞いで回転ドラム内部の被処理物の通気路からの流出を防ぐように揺動し、上方に移動してきたときには通気路を開くように揺動して、通気路を通して回転ドラム内に空気を導入するように構成されている。
【０００９】
本発明の回転式発酵機においては、回転ドラムの回転中心軸線と同心状に回転ドラムの外側を包囲する環状ダクトを有し、前記環状ダクトの壁面には、回転ドラムの外側から通気路内へ向けて空気を送り込むための多数のノズル孔が、少なくとも開閉フラップが開かれる範囲において、環状ダクトの円周方向に並んで配列されていることが望ましい。
【００１０】
また、後側の回転ドラムの前端には前方に向けて円錐状に拡開する外側送風ガイドが設けられ、前側の回転ドラムの後端部外周面には、前記外側送風ガイドの内側に略同心状に位置するように、前方に向けて円錐状に拡開する内側送風ガイドが設けられ、環状ダクトのノズル孔から噴出する空気が外側送風ガイドと内側送風ガイドの間の隙間に案内されて回転ドラム内に導入されるようにしてあることがさらに望ましい。
【発明の効果】
【００１１】
請求項１記載の発明によれば、回転ドラムの全長が長い場合でも、隣り合う回転ドラム間に形成された通気路を通して、回転ドラム内部に途中位置から空気を送り込むことが可能となるため、回転ドラム全長に亘って空気を被処理物全体に行き渡らせることができ、その結果、被処理物の乾燥と、微生物による発酵・分解が十分に行われるので、多量の被処理物を短時間で効率的に発酵処理することができる。
【００１２】
また、請求項２記載の発明によれば、前述した請求項１記載の発明の有する効果に加え、さらに、環状ダクトを用いているため、回転中の隣り合う回転ドラム間で形成される通気路へ、空気を効果的に導入することができる。
【００１３】
さらに、請求項３記載の発明によれば、環状ダクトのノズル孔から噴射される空気を、回転ドラム間で形成される通気路内へより効率良く誘導することができる。
【発明を実施するための最良の形態】
【００１４】
図１は、本発明の１実施形態である回転式発酵機の全体構造を示す斜視図、図２はその平面図であって、これらの図に示すように、回転式発酵機１は筒状ケーシング２を有しており、その内部に略水平な中心軸線回りに一方向に回転駆動される２つの回転ドラム３が内蔵されている。
【００１５】
この回転式発酵機１は、被処理物としての生ごみを、バクテリア等の微生物を含む分解処理剤とともに前側の回転ドラム３内に投入して２つの回転ドラム３内で攪拌し、微生物の作用により発酵・分解させることで、顆粒状ないし粉末状の肥料を生成するためのものである。なお、ここで、図１において、左側を回転式発酵機１の前側、右側を後側として説明する。
【００１６】
回転式発酵機１には、筒状ケーシング２の長手方向の前側端部に接近して、生ごみを投入するためのホッパ４が設けられている。このホッパ４は上端が解放されており、その筒状ケーシング２側の傾斜壁の内側に沿って、ホッパ４内に投入された生ごみを回転ドラム３内に供給するためのスクリューコンベヤ５が取り付けられている。
【００１７】
スクリューコンベヤ５には、モータ５Ａによって回転駆動される搬送スクリュー５Ｂが内蔵されていて、この搬送スクリュー５Ｂの回転によって、ホッパ４内に投入された被処理物Ｍである生ごみが上方に送られて、筒状ケーシング２の前端面の開口部２Ａと、これに対向する前側の回転ドラム３の前端面中心付近に形成された開口部Ｈを介して回転ドラム３内に投入されるようになっている。
【００１８】
図３は、回転式発酵機１の横断面図であり、この図に示すように、回転ドラム３は、中心軸線回りに回転対称な正六角形横断面を有する中空筒状のドラム本体３Ａと、その内壁面の正六角形の各辺を構成する平坦部分からドラム本体３Ａの内側へ向かって垂直に突設された攪拌板３Ｂとを有している。
【００１９】
攪拌板３Ｂは、ドラム本体３Ａをその中心軸線回りに同図矢印方向に回転させて、回転中心Oより上位まで移動させた状態で、ドラム本体３Ａの半径方向内側に向けて横断面が水平向きになるように ドラム本体３Ａの横断面において、前記各辺の中央からドラム本体３Ａを回転させる方向の前方に偏倚して設けられている。
【００２０】
図１に示すように、筒状ケーシング２の中にその長手方向前後に２つ並べて収容されているそれぞれのドラム本体３Ａの両端部近傍の外周には、図３に示すように、支持リング３Ｃがリブ３Ｄによって、回転中心Ｏに対してドラム本体３Ａと同心状に取り付けられている。
【００２１】
これらの支持リング３Ｃは、その外周面下部を２箇所で、基枠６に回転自在に取り付けられた駆動支持ローラ７、８上に載置保持されている。前記基枠６は床面Ｆ上に設置され、筒状ケーシング２を固定支持している。
【００２２】
これらの駆動支持ローラ７、８は、互いにチェーン伝動機構９を介して連動して同期回転するように構成されており、図１に示す基枠６に設けられている回転ドラムモータ１０によって、片側の駆動支持ローラ７が取り付けられている駆動シャフト１１が回転駆動されると、これに固定された駆動支持ローラ７が回転するとともに、反対側の駆動支持ローラ８も同方向に連動回転し、支持リング３Ｃを介して回転ドラム３全体が図３の矢印で示す向きに回転するようになっている。
【００２３】
図１に示すように回転式発酵機１の後方側の回転ドラム３においては、そのドラム本体３Ａの後端面の２箇所に排出ドラムハッチ１２が開閉自在に設けられている。これらの排出ドラムハッチ１２の開閉操作は、これらに対向している筒状ケーシング２の端面に設けられた開閉自在な排出ハッチ１３（図１、図４参照）を開いて外部から手動で行えるようになっている。
【００２４】
ドラム本体３Ａ内で処理された被処理物Ｍは、排出ドラムハッチ１２を開いた状態で回転ドラム３を回転させると、ここから筒状ケーシング下方に形成された排出口１４を通して、床面Ｆ上に配置されたベルトコンベヤ１５上に落下し、このベルトコンベヤ１５によって、所望の場所へ搬出されるようになっている。
【００２５】
また、後側の回転ドラム３は、ドラム本体３Ａ後端面の中心部分に、筒状ケーシング２側に固定されている吸引パイプ１６を貫通させる円形の開口部ｈが設けられている。前記吸引パイプ１６はドラム本体３Ａ内の空気を吸入ブロワ１７によって吸引するためのもので、この吸引パイプ１６は冷却除湿路１８を介して吸入ブロワ１７の吸気側と連結されている。
【００２６】
前記吸入ブロワ１７の排気側は、図２に示すように配管１９を介してバーナ２０の空気取入口に連通している。バーナ２０では、配管１９から導入された空気に燃料を混入させて燃焼させ、ここで生じた高温の燃焼ガスを熱交換器２１に送り込むようにしている。
【００２７】
図５は、回転ドラム３内の被処理物Ｍを加熱空気で加熱するための加熱システム構成図であって、同図に示すように、外気が送気ブロワ２２によってこの熱交換器２１内に送り込まれ、バーナ２０から排出される燃焼ガスと熱交換して加熱された後、回転ドラム３の内部に導入されるようになっている。
【００２８】
また、熱交換器２１を通過した燃焼ガスは、筒状ケーシング２と回転ドラム３との隙間を通過して回転ドラム３を外側から温めた後に活性炭を収容した脱臭槽２３を通過して臭気を除去された後に大気中に放出される。
【００２９】
ここで、前述したように構成されている回転式発酵機１の動作について説明する。図１において回転式発酵機１を稼働させると、ホッパ４に微生物を含む分解処理剤とともに投入された被処理物Ｍ（ここでは生ごみ）は、スクリューコンベア５により回転ドラム３のドラム本体３Ａ内部に送り込まれる。
【００３０】
この時、相互に連結されている前後の回転ドラム３は、回転ドラムモータ１０によって一体に回転し、スクリューコンベヤ５から前側の回転ドラム３内に投入された被処理物Ｍは、そのドラム本体３Ａとともに回転する攪拌板３Ｂによって掬い上げられていく。
【００３１】
図３に示すように、攪拌板３Ｂは、回転ドラム３が回転する際にその中心軸線より上位まで移動した位置でその横断面方向に水平向きになるため、回転ドラム３内の被処理物Ｍを上方の高い位置まで掻き上げてから落下させる。
【００３２】
こうして、回転ドラム３の回転とともに、６枚の攪拌板３Ｂが次々と被処理物Ｍを掻き上げて高所から落下させる動作を繰り返すために、被処理物Ｍは攪拌され、前述したように、熱交換器２１を通して送り込まれた加熱された空気と十分に混合され、分解処理剤中の微生物の働きにより、短時間の間に発酵して分解されるとともに水分が除去される。
【００３３】
本発明の回転式発酵機１においては、加熱空気は前側回転ドラム３のドラム本体３Ａの前端面に開口部ＨからノズルＮを通してドラム本体３Ａ内に送り込まれるとともに、隣接する前後の回転ドラム３間の連結部分からも送り込まれる構造になっている。
【００３４】
図６は、前後２つの回転ドラム３間の連結部分の構造を示す一部切欠断面を含む斜視図、図７は、これらの回転ドラム３間の連結部分の構造を示す部分断面図であって、これらの図に示すように、前側のドラム本体３Ａの後端部外周面は、内側に向けて傾斜しており、後側のドラム本体３Ａ前端部の内側に一部が嵌挿されている。また、前側のドラム本体３Ａの後端縁で形成される正六角形の各辺には、それぞれの辺に沿って細長く形成された開閉フラップ２４が、連結軸２５によって揺動自在に取り付けられている。
【００３５】
図７に示すように、これら６枚の開閉フラップ２４はそれぞれ、後方のドラム本体３Ａの前端部近傍内壁面の複数箇所に取り付けられている支持ブラケット２６と前記内壁面との間で揺動範囲を規制されており、開閉フラップ２４の先端が前記内壁面に当接している位置では、前段のドラム本体３Ａの外周面と後段のドラム本体３Ａ内周面との間に形成されている扁平な通気路としての隙間Ｓを塞いでいる。
【００３６】
一方、開閉フラップ２４の先端が支持ブラケット２６に当接して保持されている状態では、前記隙間Ｓを通して、これらの回転ドラム３内部と外部との間で空気の流通が可能になっている。
これらの開閉フラップ２４は、回転ドラム３の回転に伴って下方に移動したとき通気路である隙間Ｓを閉じ、上方に移動してきたときに、前記隙間Ｓを開くように、その自重によって自動的に開閉動作が行われる。
【００３７】
前述したような、前後に隣接する２つの回転ドラム３間の連結部分の構造によって、加熱空気によって回転ドラム３が加熱された際に、熱膨張によるこれらの長手方向の寸法変化を連結部分で吸収できるとともに、内部の被処理物Ｍが連結部分から外側に漏れ出すことを防止することができる。
【００３８】
また、後側のドラム本体３Ａの前端縁には、前方に向けて円錐状に拡開する外側送風ガイド２７が設けられ、前側のドラム本体３Ａの後端部近傍の外周面には、前記外側送風ガイド２７の内側に同心状に位置するように、前方に向けて円錐状に拡開する内側送風ガイド２８が設けられている。
【００３９】
外側送風ガイド２７と、内側送風ガイド２８の間に形成されている環状の隙間Ｓ’は、前記隙間Ｓと連続する通風路となっていて、この隙間Ｓ’の開口端部は、環状ダクト２９の壁面に円周方向に並んで配列された多数のノズル孔３０に対向している。
【００４０】
環状ダクト２９は、回転ドラム３の回転中心軸線と同心状に回転ドラムの外側を包囲するように基枠６側に固定支持されていて、図５に示す熱交換器２１に連通しており、送風ブロワ２２により外部より熱交換器２１に送り込まれてここで加熱された空気が、これらのノズル孔３０から空気として噴出して、通気路である隙間Ｓ、Ｓ’を通過して開閉フラップ２４が開いている位置からドラム３Ａ内部に導入されるようになっている。
【００４１】
なお、本実施形態においては、加熱空気を効率的に回転ドラム３内部に導入するため、ノズル孔３０は開閉フラップ２４が開放されている範囲に対応する環状ダクト２９の略上半分の範囲にのみ設けられている。
【００４２】
また、本実施形態においては、それぞれの攪拌板３Ｂは、ドラム本体３Ａ長手方向に細長く形成されていて、その始端側（前側）が終端側（後側）より、ドラム本体３Ａの回転方向に先行するように中心軸線に対して捩れた位置関係で取り付けられている。
【００４３】
すなわち、攪拌板３Ｂはその始端側（前端側）が被処理物Ｍを掻き上げて、その横断面が略水平向きになったときには、終端側（後端側）はまだ水平向きに至っておらず、また、終端側に向けて僅かに傾斜しているため、攪拌板３Ｂに載っている被処理物Ｍはドラム本体３Ａの回転とともに、始端側から落下し始めて、その落下開始位置が終端側に向かって徐々に移動していく。
このような動作によって、回転ドラム３が回転するにつれ、ドラム本体３Ａ内の被処理物Ｍは、僅かずつその終端側に向けて送られていく。
【００４４】
前述した構造によって、回転ドラム３内の被処理物Ｍ内の移動は、回転ドラム３の回転に対して極めて緩慢に行われるので、ドラム本体３Ａ内周面に螺旋羽根等を設けて回転ドラム３の回転で、内部の被処理物Ｍを移動させる場合と比べて、被処理物Ｍの単位移動量当たりの回転ドラム３の回転数を多くすることができる。その結果、連続した２つの回転ドラム３の前端側から後端側まで被処理物Ｍが移動する間に、十分に被処理物Ｍを攪拌・混合することができる。
【００４５】
一方、回転ドラム３内に導入された加熱空気は、被処理物Ｍを加熱して乾燥させた後、被処理物Ｍの移動方向下流側のドラム本体３Ａの終端側に差し込まれている吸引パイプ１６から吸入ブロワ１７で吸引されて冷却除湿路１８を通過し、ここで冷却されて含まれている湿気が取り除かれる。
【００４６】
この空気は、図５に示すように、バーナ２０で燃料と混合されて燃焼ガスとなる。この時、被処理物Ｍから発生した臭気を発生する物質は、燃焼によりほぼ分解される。この燃焼ガスは、前述したように、熱交換器２１で回転ドラム３内部に送り込まれる外気を加熱した後、回転ドラム３と筒状ケーシング２の間を通過して脱臭槽２３から大気中に排出される。なお、ドラム本体３Ａ内から吸引パイプ１６を介して取り出された空気は、バーナ２０における燃焼によってその臭気がほとんど除去されるが、脱臭槽２３によってより完全に脱臭される。
【００４７】
被処理物Ｍが回転ドラム３の回転に伴って、ドラム本体３Ａ内を攪拌されながら移動するにつれて、次第に発酵・分解して密度の高い顆粒状ないし粉体状の肥料に変化していく。そして、後側の回転ドラム３内をその終端部まで移動してきたときに、一旦、回転ドラム３の回転を停止させ、筒状ケーシング２後端部に設けられている排出ハッチ１３を開き、ここから後方のドラム本体３の後端面外周寄りに設けられている  排出ドラムハッチ１２を開放操作する。
【００４８】
こうして、排出ドラムハッチ１２が開放された状態で、回転ドラム３を再び回転駆動すると、処理されて肥料となっている被処理物Ｍは、排出ドラムハッチ１２から少しずつドラム本体２の外に排出されて筒状ケーシング２の後端下面に形成された開口部からベルトコンベヤ１５上に落下し、このベルトコンベヤ１５によって所望の場所へ搬送される。
【００４９】
なお、２つの回転ドラム３内部を被処理物Ｍがこれらの前端から後端まで移動する間の時間が十分とれる場合には、排出ドラムハッチ１２を回転式発酵機１の運転開始時から開放しておくことにより、被処理物Ｍを連続的に処理することができる。
【００５０】
また、前述した実施形態のものにおいては、回転ドラム３は、前後２つ直列に接続して用いているが、より多量の被処理物Ｍを連続的に処理する場合には、前後２つの間に図８に示す回転ドラム３’を１つ以上直列に連結して用いてもよい。回転ドラム３’は、その前端部が図１における後側の回転ドラム３の前端部と同じ構造になっており、また、後端部が前側の回転ドラム３の後端部と同じ構造になっている。
【００５１】
前後の回転ドラム３の間に１つ以上の回転ドラム３’が配置される構成とする場合には、回転ドラム間の連結部分毎に、先に述べた環状ダクト２９を配置し、ここからドラム本体３Ａ内部に加熱空気が導入されるようにする。
【００５２】
また、回転ドラム３’に設けられている各支持リング３Ｃと対向する部分には、それぞれ図３に示されている駆動支持ローラ７、８を配置し、回転ドラム３’を前後の回転ドラム３と同期して回転駆動できる構造とする。
【００５３】
なお、前述した実施形態においては、回転ドラム３、或いは、回転ドラム３’のドラム本体３Ａが、中心軸線回りに回転対称な正六角形横断面を有する中空筒状であるが、ドラム本体の横断面形状は、これ以外の回転対称な多角形断面、例えば、正４角形や正８角形等の断面形状であってもよい。
【００５４】
また、前述した実施形態においては、回転ドラム３内の被処理物Ｍを加熱空気で加熱しているが、分解処理剤に含まれるバクテリア等の微生物が生ごみ等の被処理物Ｍを発酵・分解する際には、熱が発生するため、使用する微生物の種類によっては、回転ドラム３内には常温の空気を導入してもよい。
【産業上の利用可能性】
【００５５】
本発明の回転式発酵機は、生ごみ等の被処理物から肥料を製造する場合に好適に利用することができ、特に、回転ドラムを直列に多数連結することで、一般家庭、飲食店、食品工場等から毎日多量に排出される生ごみを資源ごみとして、これから肥料を製造する肥料製造プラントにおいて有効に活用することができる。
【図面の簡単な説明】
【００５６】
【図１】本発明の回転式発酵機の一部切欠断面を含む側面図である。
【図２】本発明の回転式発酵機の平面図である。
【図３】本発明の回転式発酵機の横断面図である。
【図４】本発明の回転式発酵機の背面図である。
【図５】本発明の回転式発酵機の加熱システム構成図である。
【図６】回転ドラム間の連結部分の構造を示す一部切欠断面を含む斜視図である。
【図７】回転ドラム間の連結部分の構造を示す部分断面図である。
【図８】本発明の他の実施形態における回転ドラム構造を示す斜視図である。
【符号の説明】
【００５７】
１      回転式発酵機
２      筒状ケーシング
２Ａ    開口部
３      回転ドラム
３Ａ    ドラム本体
３Ｂ    攪拌板
３Ｃ    支持リング
３Ｄ    リブ
３      開口部
４      ホッパ
５      スクリューコンベヤ
５Ａ    モータ
５Ｂ    搬送スクリュー
６      基枠
７、８   駆動支持ローラ
９      チェーン伝動機構
１０      回転ドラムモータ
１１      駆動シャフト
１２      排出ドラムハッチ
１３      排出ハッチ
１４      排出口
１５      ベルトコンベヤ
１６      吸引パイプ
１７      吸入ブロワ
１８      冷却除湿路
１９      配管
２０      バーナ
２１      熱交換器
２２      送気ブロワ
２３      脱臭槽
２４      開閉フラップ
２５      連結軸
２６      支持ブラケット
２７      外側送風ガイド
２８      内側送風ガイド
２９      環状ダクト
３０      ノズル孔
Ｓ、Ｓ’   通気路
【図１】
2005254197.tif 000003
【図２】
2005254197.tif 000004
【図３】
2005254197.tif 000005
【図４】
2005254197.tif 000006
【図５】
2005254197.tif 000007
【図６】
2005254197.tif 000008
【図７】
2005254197.tif 000009
【図８】
2005254197.tif 000010